(57)【要約】  【課題】  照明器具１において、器具カバー６の頂板７に対し上方向から工具Ｔを挿入することによって、器具カバー６を器具本体２から取り外せるようにする。  【解決手段】  器具本体２の底板３に、器具カバー６の頂板７の裏面に近接する板部１６を有する固定部材１０を固定し、器具カバー６の頂板７に開口部３５を形成し、固定部材１０に開口部３５に露出する切欠き３０を、この切欠き３０の縁部３１と開口部３５の側縁３５ａとの間にマイナスドライバまたは類似の工具Ｔの扁平な先端部を上方から挿入し得る溝状の空隙が形成される態様で設け、この空隙に先端部を上方から挿入した工具Ｔをその挿入方向に沿った軸線の周りで回動させることにより、側縁３５ａに対し側板９側に向う力を作用させる。【選択図】図５
2005085654.tif 000002
【特許請求の範囲】
【請求項１】
底板と該底板の両側縁から略直角に立ち上がる一対の側板とを備えた略凵字状の断面形状を有する器具本体と、該器具本体に取外し可能に嵌着されて該器具本体の上部を覆う器具カバーとを有し、該器具カバーが、頂板と、該頂板の両側縁に沿って垂設された、前記器具本体の前記一対の側板の自由端にそれぞれ内側から弾性的に嵌着される一対の側板とを備えてなる照明器具における前記器具カバーの取外し構造であって、
前記器具カバーの頂板に開口部を形成し、
前記器具本体の底板に、前記器具カバーが前記器具本体に嵌着された状態において前記頂板の前記開口部に露出する部分を有する固定部材を固定し、該露出する部分に、扁平な先端部を有する工具の前記先端部を前記器具カバーの側板に略平行にした状態で前記器具カバーの頂板の上方から挿入し得る溝状の空隙を前記開口部の側縁との間で形成する縁部を設け、
前記空隙に上方から前記先端部を挿入した前記工具をその挿入方向に沿った軸線の周りで所定方向に回動させて、前記固定部材の縁部を支点に、前記開口部の側縁を作用点として該側縁に対し該側縁側の側板に向う力を加えることにより、前記器具カバーの少なくとも一方の側板が前記器具本体に対する嵌着部から外れるように構成したことを特徴とする照明器具のカバーの取外し構造。
【請求項２】
前記器具本体が、長手方向の両端の側部に端子ピンを設けた棒状蛍光管のためのソケットを長手方向の両端に備えて細長く形成され、前記器具カバーが、前記ソケットを外部に臨ませる幅広の開口部を前記頂板の長手方向端部に備えていることを特徴とする請求項１記載の照明器具のカバーの取外し構造。
【請求項３】
前記固定部材の、前記器具カバーの頂板に形成された開口部に露出する前記部分に、前記器具カバーを前記器具本体に固定するためのネジ孔が形成され、前記側縁を備えた開口部が、前記ネジ孔に螺着されるネジの軸部の外径よりも広く、かつ頭部の外径よりも狭い幅を有する溝であることを特徴とする請求項２記載の照明器具のカバーの取外し構造。
【請求項４】
長手方向の両端の側部に端子ピンを設けた棒状蛍光管のためのソケットを長手方向の両端に備えた底板と該底板の両側縁から略直角に立ち上がる一対の側板とを備えた略凵字状の断面形状を有する細長い器具本体と、該器具本体の両端に固定された端板と、前記器具本体に取外し可能に嵌着されて該器具本体の前記一対の側板間の開口を覆う器具カバーとを有し、該器具カバーが、頂板と、該頂板の両側縁に沿って垂設された、前記器具本体の前記一対の側板の自由端にそれぞれ内側から弾性的に嵌着される一対の側板とを備え、前記頂板の長手方向の両端に、前記ソケットを外部に露出させる開口部を備えてなる照明器具のカバーの取外し構造であって、
前記端板上に、前記器具カバーが前記器具本体に嵌着された状態において、前記器具カバーの頂板の上方から前記開口部に挿入された工具が該開口部の側縁に片側を当接された状態で他側が当接し得る縁部を設け、
前記開口部に前記工具を挿入して、前記端板上の前記縁部を支点に、前記開口部の側縁を作用点にして、前記側縁に対し該側縁側の側板に向う力を加えることにより、前記器具カバーの少なくとも一方の側板が前記器具本体に対する嵌着部から外れるように構成したことを特徴とする照明器具のカバーの取外し構造。
【請求項５】
前記端板上の前記縁部が、前記開口部に露出して、扁平な先端部を有する工具の前記先端部を前記器具カバーの側板に略平行にした状態で上方から挿入し得る溝状の空隙を前記開口部の側縁との間で形成する態様で設けられ、該空隙に前記先端部を上方から挿入した前記工具をその挿入方向に沿った軸線の周りで所定方向に回動することにより、前記開口部の側縁に対し該側縁側の側板に向う力が作用するように構成したことを特徴とする請求項４記載の照明器具のカバーの取外し構造。
【請求項６】
前記端板が前記器具本体の底板に固定される板部を備えており、該板部上に前記縁部が設けられ、前記開口部に上方から挿入した前記工具の先端部を前記縁部に当接させ、かつ前記工具の前記先端部よりも手元側に寄った部位を前記開口部の側縁に当接させて、前記工具の手元側を前記側縁側に動かすことにより、前記側縁に対し前記側縁側の側板に向う力が作用するように構成したことを特徴とする請求項４記載の照明器具のカバーの取外し構造。
【請求項７】
長手方向の両端の側部に端子ピンを設けた棒状蛍光管のためのソケットを長手方向の両端に備えた底板と該底板の両側縁から略直角に立ち上がる一対の側板とを備えた略凵字状の断面形状を有する細長い器具本体と、前記器具本体に取外し可能に嵌着されて該器具本体の前記一対の側板間の開口を覆う器具カバーとを有し、該器具カバーが、頂板と、該頂板の両側縁に沿って垂設された、前記器具本体の前記一対の側板の自由端にそれぞれ内側から弾性的に嵌着される一対の側板とを備え、前記頂板の長手方向の両端に、前記ソケットを外部に露出させる開口部を備えてなる照明器具のカバーの取外し構造であって、
前記器具本体の底板上に、前記器具カバーが前記器具本体に嵌着された状態において、前記器具カバーの頂板の上方から前記開口部に挿入された工具が該開口部の側縁に片側を当接された状態で他側が当接し得る縁部が設けられ、
前記開口部に上方から前記工具を挿入して、前記工具の先端部を前記縁部に当接させ、かつ前記工具の前記先端部よりも手元側に寄った部位を前記開口部の側縁に当接させて、前記縁部を支点に、前記開口部の側縁を作用点にして、該側縁に対し該側縁側の側板に向う力を加えることにより、前記器具カバーの少なくとも一方の側板が前記器具本体に対する嵌着部から外れるように構成したことを特徴とする照明器具のカバーの取外し構造。
【発明の詳細な説明】
【技術分野】
【０００１】
本発明は、照明器具のカバーの取外し構造に関し、特に、底板とこの底板の両側縁から略直角に立ち上がる一対の側板とを備えた略凵字状の断面形状を有する器具本体と、この器具本体に取外し可能に嵌着されて器具本体の上方を覆う器具カバーとを有し、この器具カバーが、頂板と、頂板の両側縁に沿って垂設された、器具本体の上記一対の側板の自由端にそれぞれ内側から弾性的に嵌着される一対の側板とを少なくとも備えてなる照明器具におけるカバーの取外し構造に関するものである。
【背景技術】
【０００２】
従来より、特許文献１に記載されているように、棒状蛍光ランプをそれぞれ備えた複数の細長い照明器具を互いに長手方向に連接させて縦列配置する際に、各蛍光ランプの両端の非発光部を無くすべく、例えば図１４に示すように、棒状管本体２１の長手方向の両端の側部に、端子ピン２２，２２を備えた口金２３を設けた蛍光ランプ２０が提案されている（特許文献１参照）。
【０００３】
この蛍光ランプ２０が装着される照明器具１は、図１４の要部斜視図および図１５の要部平面図、ならびに図１６、図１７の断面図（図１６は図１５の１６−１６線に沿った断面図、図１７は図１５の１７−１７線に沿った断面図）に示すように、底板３とこの底板３の両側縁から略直角に立ち上がる一対の側板４，５とを備えた略凵字状の断面形状を有するアルミニウム製引抜き材からなる器具本体２と、この器具本体２に取外し可能に嵌着されてこの器具本体２の上方を覆う器具カバー６とを備えている。
【０００４】
器具カバー６は、頂板７と、この頂板７の両側縁に沿って垂設された一対の側板８，９とを備えたアルミニウム製引抜き材からなり、これら側板８，９が器具本体２の側板４，５の自由端にそれぞれ内側から弾性的に嵌着されるように構成されている。器具本体２の側板４，５の上端縁の内側には、図１６および図１７から明らかなように、突条４ａ，５ａがそれぞれ上端縁に沿って形成され、これに対応して、器具カバー６の側板８，９の下端縁には、上記突条４ａ，５ａにそれぞれ内側から弾性的に嵌着する弾性縁部８ａ，９ａが下端縁に沿って形成されている。そして器具カバー６が器具本体２に嵌着された状態では、照明器具１の両側面の外表面が、その長さ方向に直線的に延びる、器具本体２と器具カバー６との分割線Ｌが表れた平面を構成している。
【０００５】
器具本体２内の底板３上には、蛍光ランプ２０の端子ピン２２，２２が挿入されるスロット１１ａ，１１ａを上面に備えたソケット１１と、蛍光ランプ２０の口金２３の両側面に形成された突条２３ａに弾性的に嵌着されて蛍光ランプ２０を保持するバネ部材１２とが固定部材１０を介して固定されている。
【０００６】
一方、器具カバー６の頂板７の長手方向の両端部には、上記ソケット１１およびバネ部材１２を外部に臨ませる幅広の開口部１４が頂板７の長手方向の端縁から切り込まれた態様で略長方形に形成されている。この開口部１４は、器具カバー６の両側板８，９と略平行な側縁１４ｂ、１４ｂと、これら側縁１４ｂ、１４ｂに略直交する奥縁１４ａとを備えている。
【０００７】
固定部材１０は、ソケット１１およびバネ部材１２を支持しかつ頂板７の延長方向に頂板７の下方まで底板３と略平行に延びる板部１３と、この板部１３の端から略直角にかつ端縁１４ａと略平行に立ち上がって頂板７の裏面に達する板部１５と、板部１５の上端から開口部１４側とは反対方向に略直角に折れ曲って、頂板７の裏面に沿って底板３と略平行に延びる板部１６とによって構成されている。そしてこの板部１６に形成されたネジ孔１７に、器具カバー６の頂板７に形成された小孔１８を通してビス（図示せず）を螺着することにより、器具カバー６が器具本体２に固定されるように構成されている。
【０００８】
また、器具本体２の長手方向の両端には端板１９が固定されている。この端板１９は、器具本体２の端部を覆う垂直板部１９ｂと、この垂直板部１９ｂの下端から略直角に折れ曲がって、ビス４０およびナット４１を用いて底板３上に固定される水平板部１９ｃとからなり、垂直板部１９ｂ左右端部には、上下方向に延びる細長い開口部１９ａ，１９ａが形成されている。
【０００９】
ところで、上述のような構成を有する照明器具１において、器具本体２から器具カバー６を取り外す場合には、先ず器具本体２に固定された板体１６に器具カバー６を固定しているビスを取り外した後、図１８に示すように、器具本体２の端板１９のいずれかの開口部１９ａ内にＡ方向からスクリュードライバのような工具を差込み、この工具の先端を器具本体２の底板３上に当接させ、かつ工具の中間部を頂板７の裏面の端縁に当接させた状態で、工具の手元側を上方に動かすことにより、工具の先端が当接している底板３上の部位を支点、開口部１９ａの上方を覆う頂板７の裏面の端縁上の点Ｐ１を作用点として、頂板７に対しＣ方向の力が作用する。これによって、器具カバー６の弾性縁部８ａ，９ａが器具本体２の突条４ａ，５ａによってそれぞれ内方へ撓まされて、器具本体２の突条４ａ，５ａをそれぞれ乗り越えるので、器具カバー６を器具本体２から容易に取り外すことができる。
【００１０】
しかしながら、このような取外し方法は、頂板７の開口部１４の縁部分を変形させて商品価値を落とすおそれがある上に、前述したように、この照明器具１は、蛍光ランプ２０の構造的特徴を生かすために直線的に縦列配置される場合が多く、その場合には照明器具１の長手方向の端部側に空間がなく、このような取外し方法を採用することは不可能である。
【００１１】
また、図１８において、開口部１４の側縁１４ｂから工具を頂板７の下面にＢ方向から挿入し、対向する側縁１４ｂ上の点Ｐ２を支点として、工具の手元側を下方に動かすことによっても、頂板７の開口部１４の縁部分にＣ方向の力が作用するから、器具カバー６を器具本体２から容易に取り外すことができるが、やはり頂板７の開口部１４の縁部分を変形ないし傷つけるおそれがあり、しかも図１９に示す間接照明の場合のように、照明器具１の両側に壁Ｗ１，Ｗ２が存在するときには、このような取外し方法を採用することも不可能である。
【特許文献１】特開２００１−２１０１３５号公報
【発明の開示】
【発明が解決しようとする課題】
【００１２】
解決しようとする問題点は、このような照明器具において、器具カバーの頂板に対し上方から工具を挿入することによっては、器具カバーを器具本体から取り外すことができない点である。
【課題を解決するための手段】
【００１３】
本発明は、底板とこの底板の両側縁から略直角に立ち上がる一対の側板とを備えた略凵字状の断面形状を有する器具本体と、この器具本体に取外し可能に嵌着されてこの器具本体の上方を覆う器具カバーとを有し、この器具カバーが、頂板と、この頂板の両側縁に沿って垂設された、上記器具本体の上記一対の側板の自由端にそれぞれ内側から弾性的に嵌着される一対の側板とを備えてなる照明器具における上記器具カバーの取外し構造であって、
上記器具カバーの頂板に開口部を形成するとともに、上記器具本体の底板に、上記器具カバーが上記器具本体に嵌着された状態において上記頂板の上記開口部に露出する部分を有する固定部材を固定し、この露出する部分に、マイナスドライバのような扁平な先端部を有する工具の先端部を上記器具カバーの側板に略平行にした状態で上記器具カバーの上方から挿入し得る溝状の空隙を上記開口部の側縁との間で形成する縁部を設けたものである。
【００１４】
器具カバーの取外しに際しては、上記空隙に上方から先端部を挿入した工具をその挿入方向に沿った軸線の周りで所定方向（時計方向または反時計方向）に回動させることにより、上記固定部材の縁部を支点に、上記開口部の側縁を作用点としてこの側縁に対し上記側板側に向う力を加えることにより、上記器具カバーの少なくとも一方の側板が上記器具本体に対する嵌着部から外れるように構成される。
【００１５】
なお、上述の「上方から」は、上記器具カバーの頂板が上方に面している場合の上方からの意味であって、例えば頂板の表面が下方を向くように照明器具が天井に取り付けられている場合には「下方から」を意味し、また、頂板の表面が横を向くように照明器具が垂直壁に取り付けられている場合には「側方から」を意味する。すなわち、「上方から」は「頂板の表面に対し略直角方向から」の意味である。
【００１６】
上記器具本体は、長手方向の両端の側部に端子ピンを設けた棒状蛍光管のためのソケットを長手方向の両端に備えて細長く形成され、上記器具カバーが、上記ソケットを外部に臨ませる幅広の開口部を上記頂板の長手方向端部に備えていることが好ましい。
【００１７】
その場合、工具当接部としての固定部材の縁部との間に工具の先端部が挿入される空隙を形成する開口部の側縁は、上記ソケットを外部に臨ませる幅広の開口部の側縁をそのまま利用してもよいが、この開口部とは別個に、幅狭の溝状の開口部を設けてもよい。幅狭の溝状の開口部を設けた場合には、この開口部に露出する固定部材の部分に、上記器具カバーを上記器具本体に固定するためのネジ孔を形成するとともに、上記溝状の開口部の幅を、上記ネジ孔に螺着されるネジの軸部の外径よりも広く、頭部の外径よりも狭く設定することが好ましい。
【００１８】
なお、上述の構成は、上記器具本体の底板に固定された固定部材に支点となる縁部を設けた場合であるが、器具本体の両端に端板が固定され、かつソケットを外部に臨ませる頂板の開口部が上記端板側から切り込まれているような場合には、この端板に支点となる縁部を設けることができる。
【００１９】
その場合には、上記端板に、上記頂板の開口部に露出して、扁平な先端部を有する工具の先端部を器具カバーの側板に略平行にした状態で上方から挿入し得る溝状の空隙を上記開口部の側縁との間で形成する縁部を設け、上記空隙に先端部を上方から挿入した工具をその挿入方向に沿った軸線の周りで所定方向に回動することにより、上記開口部の側縁に対しこの側縁側の側板に向う力を作用させることができる。
【００２０】
あるいは、上記端板が器具本体の底板に固定される板部を備えている場合に、この板部上に上記支点となる縁部が設けられる。その場合には、上記開口部に上方から挿入した工具の先端部を上記縁部に当接させ、かつこの工具の先端部よりも手元側に寄った部位を上記開口部の側縁に当接させて、上記工具の手元側を上記側縁側に動かすことにより、上記開口部の側縁に対してこの側縁側の側板に向う力を作用させることができる。
【００２１】
さらに、上記支点となる縁部は器具本体の底板上に設けてもよい。
【発明の効果】
【００２２】
本発明によれば、器具カバーが、頂板と、この頂板の両側縁に沿って垂設された、上記器具本体の一対の側板の自由端にそれぞれ内側から弾性的に嵌着される一対の側板とを備えている構成において、器具カバーの頂板に形成された開口部に上方から挿入した工具の片側を開口部の側縁に当接させ、かつこの工具の他側を、器具本体に固定された固定部材に設けた縁部、または器具本体に固定された端板に設けた縁部、もしくは器具本体の底板に設けた縁部に当接させて、これら縁部を支点に、上記頂板の開口部の側縁を作用点にして、上記縁部に対し上記側板側に向う力を加えることにより、上記力のベクトルを含む、頂板に略垂直な面内に、器具カバーの一方の側板の器具本体に対する嵌着部を中心として、反対側の側板を持ち上げるような回転モーメントが発生するので、上記力による器具カバーの弾性的嵌着部の撓みと相俟って、少なくとも反対側の嵌着部が容易に外れることになる。
【００２３】
すなわち、本発明によれば、器具カバーの頂板に形成された開口部に、頂板の上方から工具を挿入して、器具カバーを変形させることなく器具本体から器具カバーを容易に取り外すことができるので、特に、器具本体が、長手方向の両端の側部に端子ピンを設けた棒状蛍光管のためのソケットを長手方向の両端に備えて細長く形成されて、縦列配置されるように構成された照明器具、あるいは間接照明の場合のように、照明器具の前後に壁が存在する状態で使用される照明器具に適用するのに好適である。
【００２４】
また本発明によれば、器具カバーに対して過度な力を加えずに器具本体から器具カバーを取り外すことができるので、器具カバーにおいて、商品価値を落とす変形を発生させない利点もある。
【発明を実施するための最良の形態】
【００２５】
以下、図１〜図１３を参照して本発明の実施例について詳細に説明する。
【実施例１】
【００２６】
図１〜図５は本発明による照明器具のカバーの取外し構造の第１の実施例を示す図で、図１は図１５に対応させて示す要部平面図、図２は図１の２−２線に沿った断面図、図３は器具本体の要部平面図、図４，図５は器具カバーの取外し方を説明する拡大平面図および断面図である。
【００２７】
本実施例においては、その大部分の構成が、図１５〜図１７に示した構成と共通するので、同一部位には同一の符号を付して、重複する説明は省略する。
【００２８】
図１〜図３を参照すると、器具本体１の底板２に固定された固定部材１０は、図１５〜図１７に示した構成と同様に、ソケット１１およびバネ部材１２を支持して底板３と略平行に延びる板部１３と、この板部１３の端から略直角にかつ板部１９と略平行に立ち上がって頂板７の裏面に達する板部１５と、板部１５の上端から開口部１４側とは反対方向に略直角に折れ曲って、頂板７の裏面に沿って底板３と略平行に延びる板部１６とによって構成されているが、本実施の形態の形態においては、板部１５，１６の両側に、板部１５から板部１６に亘る切欠き３０，３０が形成され、これによって、板部１６の両側には、図３に示すように、上方から見て器具本体２の側板４，５と略平行に延びる縁部３１，３１が形成されている。
【００２９】
一方、器具カバー６の頂板７には、ソケット１１を露出させる開口部１４の奥縁から上記固定部材１０の板部１６上に側板８，９と略平行に延びて板部１６の一部を露出させる左右一対の溝状開口部３５，３５が形成されている。そして、器具カバー６を器具本体２に固定するために板部１６に形成されたネジ孔１７が一方の開口部３５の奥に露出しており、このために開口部３５，３５は、図１から明らかなように、上記ネジ孔１７に螺着されるネジの軸部の外径よりも広く、かつ頭部の外径よりも狭い幅を有する溝となっている。
【００３０】
上記開口部３５，３５のそれぞれは、側板８，９と平行な側板側の側縁３５ａと、上記固定部材１０の板部１６に形成された各切欠き３０の縁部３１との間に、マイナスドライバまたはそれと類似の扁平な先端部を備えた工具Ｔの先端部を側板８，９に略平行にした状態で上方から挿入し得る溝状の空隙が形成されるような位置に設けられている。
【００３１】
したがって、開口部３５，３５に露出する、切欠き３０，３０の縁部３１，３１と開口部３５，３５の側縁３５ａ，３５ａとの間に形成された上記空隙のいずれか一方、この場合は右方の空隙に、図４および図５に示すように、上記工具Ｔの先端部を上方から挿入して、この先端部の一側を固定部材１０の板部１６の縁部３１に当接させ、他側を開口部３５の側縁３５ａに当接させて、工具Ｔの挿入方向の軸線の周りで反時計方向に略９０度回動させると、固定部材１０に形成されている切欠き３０の縁部３１上の点Ｐ３を支点とし、器具カバー６の開口部３５の側縁３５ａ上の点Ｐ４を作用点として、側縁３５ａに対し頂板７の板面と略平行に側板９側に向う右方向の力Ｆが作用する。
【００３２】
この場合、図５に示すように、器具カバー６の側板９は頂板７の端縁から垂設され、かつ側板９の下端部に形成された弾性縁部９ａが器具本体２の側板５の内側から突条５ａに嵌着されているため、上記力Ｆによって側板９が若干撓んで頂板７が僅かに右方へ移動するとともに、上記力Ｆによって作用点Ｐ４から斜め右上方に向う分力Ｇが生じ、この分力Ｇが、器具カバー６に対して、分力Ｇを含む紙面と平行な面内に、突条５ａを中心として反対側の側板８を持ち上げるような時計方向の回転モーメントを発生させるから、器具本体２の側板４の内側に弾性的に嵌着されている器具カバー６の反対側の側板８が器具本体２の側板４からＨ方向に外れることになり、同時に、側板９が器具本体２の側板５から外れることになる。
【００３３】
同様に、図４，図５の左側の切欠き３０の縁部３１と左側の開口部３５の側板４側の側縁３５ａとの間に形成された空隙に工具Ｔの先端部を上方から挿入して、工具Ｔの挿入方向の軸線の周りで時計方向に略９０度回動させることによっても、同様の原理で、器具カバー６の右側の側板９を器具本体２の側板５から外すことができる。
【００３４】
以上の説明から明らかなように、本実施例によれば、器具カバー６の頂板７に形成した開口部３５，３５に露出する、切欠き３０，３０の縁部３１，３１と開口部３５，３５の側縁３５ａ，３５ａとの間に形成された空隙のいずれか一方に、マイナスドライバのような平坦な先端部を有する工具Ｔの先端部を上方から挿入して、工具Ｔの挿入方向の軸線の周りで時計方向または反時計方向に略９０度回動させるだけで、器具カバー６を変形させることなく容易に外すことができるので、器具本体２が、長手方向の両端の側部に端子ピン２２を設けた棒状蛍光管２１のためのソケット１１を長手方向の両端に備えて細長く形成されて、縦列配置されるように構成された照明器具１に好適である。
【実施例２】
【００３５】
図６〜図１０は、本発明による照明器具のカバーの取外し構造の第２の実施例を示す図で、図６は図１５に対応させて示す要部平面図、図７は図６の７−７線に沿った断面図、図８は端板の背面図、図９および図１０器具カバーの取外し方を説明する平面図および断面図である。
【００３６】
本実施例においては、水平板部１９ｃをビス４０およびナット４１によって器具本体２の底板３に固定された端板１９の垂直板部１９ｂの内面における、この垂直板部１９ｂの上縁と開口部１９ａ，１９ａの内側の垂直縁部の上端とが交わる隅領域に突起３２，３２が突設され、各突起３２は、器具カバー６が器具本体２に嵌着された状態で、器具カバー６の頂板７の開口部１４の側縁１４ｂに対して略平行に延びる縁部３２ａを備えている。そしてこの縁部３２ａは、頂板７の開口部１４の側縁１４ｂとの間に、マイナスドライバまたはそれと類似の扁平な先端部を備えた工具Ｔの先端部を側板８，９に略平行にした状態で上方から挿入し得る溝状の空隙が形成される態様で開口部１４に露出している。
【００３７】
したがって、図９および図１０に示すように、上記突起３２，３２の縁部３２ａ，３２ａと開口部１４の側縁１４ｂ，１４ｂとの間に形成された空隙のいずれか一方、図９では左方、図１０では右方の空隙に、上記工具Ｔの先端部を上方から挿入して、工具Ｔの挿入方向の軸線の周りで反時計方向に略９０度回動させると、端板１９側の縁部３２ａ上の点Ｐ５を支点とし、器具カバー６の開口部１４の側縁１４ｂ上の点Ｐ６を作用点として、縁部３２ａに対し器具カバー６の側板８側に向う右方向の力Ｆが作用するから、上述した第１の実施例と同様の原理で、器具カバー６の右側の側板９を器具本体２の側板５から外すことができ、同時に、反対側の側板８も器具本体２の側板４から外れることになる。
【実施例３】
【００３８】
図１１〜図１３は、本発明による照明器具のカバーの取外し構造の第３の実施例を示す図で、図１１は図１５に対応させて示す要部平面図、図１２は端板の背面図、図１３は器具カバーの取外し方を説明する断面図である。
【００３９】
本実施例では、水平板部１９ｃをビス４０およびナット４１によって器具本体２の底板３に固定された端板１９の上記水平板部１９ｃ上に、側板４，５と略平行に延びる突条５０，５０が形成されている。これら突縁５０，５０は、器具カバー６が器具本体２に嵌着された状態で、頂板７の開口部１４の側縁１４ｂ、１４ｂと略平行な縁部５０ａ，５０ａを、各側縁１４ｂの下方に備えている。
【００４０】
したがって、図１３に示すように、マイナスドライバまたはそれと類似の扁平な先端部を備え工具Ｔを頂板７の上方から開口部１４に挿入して、工具Ｔの先端部を例えば右側の突縁５０の縁部５０ａに当接させ、工具Ｔの先端部よりも手元寄りの部位を開口部１４の側縁１４ｂに当接させて、工具Ｔの手元側を図１３の右方向に動かすことにより、縁部５０ａを支点Ｐ７とし、器具カバー６の開口部１４の側縁１４ｂを作用点Ｐ８として、側縁１４ｂに対し側板８側に向う力Ｆが作用する。
【００４１】
したがって、上述した第１およびだ２の実施例と同様の原理で、器具カバー６の側板９を器具本体２の側板５から外すことができ、同時に、反対側の側板８も器具本体２の側板４から外れることになる。
【００４２】
なお、本実施例は、工具の支点となる縁部５０ａをそれぞれ備えた突条５０，５０を、端板１９の水平板部１９ｃ上に設けた場合であるが、図示および詳細な説明は省略するが、工具の支点となる上述と同様の縁部を備えた突条を器具本体２の底板３上に直接設けることによっても、同様の機能が得られること明らかである。
【００４３】
さらに、器具本体２が厚い底板３を備えている場合には、突条５０，５０の代わりに側板４，５と略平行に延びる２本の凹溝を底板３上に形成し、これら凹溝の縁部を支点として器具カバー６を器具本体２から外すことも可能である。
【図面の簡単な説明】
【００４４】
【図１】本発明による照明器具のカバーの取外し構造の第１の実施例を示す要部平面図である。
【図２】図１の２−２線に沿った断面図である。
【図３】図１の照明器具の器具本体の要部平面図である。
【図４】図１の照明器具の器具カバーの取外し方を説明する拡大平面図である。
【図５】図１の照明器具の器具カバーの取外し方を説明する断面図である。
【図６】本発明による照明器具のカバーの取外し構造の第２の実施例を示す要部平面図である。
【図７】図６の７−７線に沿った断面図である。
【図８】図６の照明器具の端板の背面図である。
【図９】図１の照明器具の器具カバーの取外し方を説明する平面図である。
【図１０】図６の照明器具の器具カバーの取外し方を説明する断面図である。
【図１１】本発明による照明器具のカバーの取外し構造の第３の実施例を示す要部平面図である。
【図１２】図１１の照明器具の端板の背面図である。
【図１３】図１１の照明器具の器具カバーの取外し方を説明する断面図である。
【図１４】従来の照明器具をこれに装着される蛍光ランプとともに示す要部斜視図である。
【図１５】図１４の照明器具の要部平面図である。
【図１６】図１４の１６−１６線に沿った断面図である。
【図１７】図１４の１７−１７線に沿った断面図である。
【図１８】従来の照明器具の器具カバーの取外し方を説明する斜視図である。
【図１９】間接照明における照明器具の配置の一例を概略的に示す斜視図である。
【符号の説明】
【００４５】
１    照明器具
２    器具本体
３    器具本体の底板
４，５    器具本体の側板
６    器具カバー
７    器具カバーの頂板
８，９    器具カバーの側板
１０    固定部材
１４    開口部
１４ｂ  開口部の側縁
３０    固定部材の切欠き
３１    切欠きの縁部
３２    突起
３２ａ    突起の縁部
３５    開口部
３５ａ    開口部の側縁
５０    突条
５０ａ    突条の縁部
【図１】
2005085654.tif 000003
【図２】
2005085654.tif 000004
【図３】
2005085654.tif 000005
【図４】
2005085654.tif 000006
【図５】
2005085654.tif 000007
【図６】
2005085654.tif 000008
【図７】
2005085654.tif 000009
【図８】
2005085654.tif 000010
【図９】
2005085654.tif 000011
【図１０】
2005085654.tif 000012
【図１１】
2005085654.tif 000013
【図１２】
2005085654.tif 000014
【図１３】
2005085654.tif 000015
【図１４】
2005085654.tif 000016
【図１５】
2005085654.tif 000017
【図１６】
2005085654.tif 000018
【図１７】
2005085654.tif 000019
【図１８】
2005085654.tif 000020
【図１９】
2005085654.tif 000021